(57)【要約】  【課題】自動視準装置を備えた測量機を遠隔操作できるとともに、測量機側へガイド光を送光して迅速に自動視準できるようにしたターゲットセットを、いっそう使い易いものに改良する。  【解決手段】このターゲットセット（１０）は、光を来た方向に反射する再帰反射体（１２）と、自動視準装置を備えた測量機を遠隔操作するとともに前記再帰反射体の上部に着脱自在に固定されたリモコン本体（１６）と、前記再帰反射体の位置を前記測量機に知らせるガイド光を出射するとともに前記リモコン本体に固定されたガイド光送光器（１４）と、前記リモコン本体の上部に着脱自在に固定された取手（２０）と、前記測量機に測定を指示開始するとともに前記取手に設けられたトリガースイッチ（３０）と、前記再帰反射体の下部に着脱自在に固定されたピンポール（４４）とを備える。  【選択図】図１
0003128591.tif 000002
【実用新案登録請求の範囲】
【請求項１】
光を来た方向に反射する再帰反射体と、自動視準装置を備えた測量機を遠隔操作するとともに前記再帰反射体の上部に着脱自在に固定されたリモコン本体と、前記再帰反射体の位置を前記測量機に知らせるガイド光を出射するとともに前記リモコン本体に固定されたガイド光送光器と、前記リモコン本体の上部に着脱自在に固定された取手と、前記測量機に測定を指示開始するとともに前記取手に設けられたトリガースイッチと、前記再帰反射体の下部に着脱自在に固定されたピンポールとを備えたことを特徴とするターゲットセット。
【請求項２】
前記取手には円形気泡管が設けられたことを特徴とする請求項１に記載のターゲットセット。
【請求項３】
前記リモコン本体には外部機器と接続するためのコネクタが取り付けられたことを特徴とする請求項１又は２に記載のターゲットセット。
【考案の詳細な説明】
【技術分野】
【０００１】
本考案は、自動視準装置を備えた測量機を遠隔操作できるとともに、測量機側へガイド光を送光して迅速に自動視準できるようにしたターゲットセットに関する。
【背景技術】
【０００２】
従来のトータルステーション（電子式測距測角儀）等の測量機で測点の位置等を測定するには、測点に設置された反射プリズムを視準しなければならなかった。近年、反射プリズムを視準する労力を軽減するためと、測定者による視準誤差を少なくするために、自動視準装置を備える測量機も普及してきた。自動視準装置とは、測量機の望遠鏡の光軸（視準軸）に沿って視準光を出射し、反射プリズムで反射してきた視準光を受光して反射プリズムの方向を検出して、望遠鏡の光軸を反射プリズムの方向に自動的に向けるものである。このような自動視準装置を備える測量機では、測量機から離れた場所から一人で測定できるようにと、リモコン装置を備えるものもある。
【０００３】
しかし、このような自動視準装置を備えた測量機をリモコン装置からの指令によって測定を行うと、望遠鏡の狭い視野内に反射プリズムを捉えるのに、望遠鏡を広い範囲にわたってスキャン（走査）させる必要があるので、自動視準に意外と時間がかかり、測定が円滑に進まないという問題があった。
【０００４】
このような問題を解決するため、出願人は、下記特許文献１において、リモコン操作でも迅速確実に自動視準できる測量システムを提案している。
【０００５】
特許文献１で提案された測量システムを図４に示す。この測量システムは、自動視準装置を備えた測量機５０と、光が来た方向に反射する反射プリズム６２等の再帰反射体を備えたターゲットセット６０からなる。
【０００６】
測量機５０は、三脚４８上に固定される図示しない整準台上に水平回転可能な測量機本体５２と、測量機本体５２に鉛直回転可能な望遠鏡５４を備えている。ターゲットセット６０は、三脚４８上に固定される整準台６１上に、測量機５０から出射される視準光５８を測量機５０に向けて反射する反射プリズム６２と、測量機５０に向けて反射プリズム６２の位置を知らせるガイド光６４を出射するガイド光送光器６６を備える。ガイド光６４は、鉛直方向に狭く水平方向に広がりを有した幅広のファンビームで、鉛直方向にスキャンされるようになっている。測量機５０とターゲットセット６０のそれぞれには、指令信号や測量結果等を無線６５で送受信するための無線機７０、７２を備えている。
【０００７】
測量機５０の測量機本体５２には、ガイド光送光器６６のガイド光６４を検出する方向検出器５６が固定されている。方向検出器５６は、測量機本体５２を水平回転させたとき、ガイド光６４を受光することにより、ガイド光送光器６６の水平方向を検出するものである。
【０００８】
この測量システムによれば、反射プリズム６２の位置を示すガイド光６４は、幅方向に広く厚さ方向に狭いファンビームであるから、小電力で遠方まで到達させることができる。ガイド光６４は、幅方向と直交方向に走査されて広い範囲を照射するから、測量機５０と反射プリズム６２が略正対していなくても、測量機５０に設けられた方向検出器５６は、迅速確実にガイド光６４を受光して、反射プリズム６２の方向を検出でき、これにより、望遠鏡５４を迅速に反射プリズム６２の方向に向けることができる。望遠鏡５４が反射プリズム６２に向くと、その後は自動視準装置によって反射プリズム６２を短時間で正確に自動視準し、自動的に測定を行うことができる。
【０００９】
【特許文献１】特開２００５-２１４８５４号公報
【考案の開示】
【考案が解決しようとする課題】
【００１０】
ところで、前記特許文献１に開示された測量システムは、海外のユーザーが反射プリズムを三脚上又はポール上に固定して使用することが多いということに基づいて提案された。しかし、日本国内のユーザーは、反射プリズムをポールとポールの間に設け、反射プリズムを低い位置に置いて測定することが多く、前記特許文献１で提案した測量システムにおけるターゲットセット６０は、日本国内の一部のユーザーから使い難いと言われる問題があった。
【００１１】
本考案は、前記問題に鑑みてなされたもので、自動視準装置を備えた測量機を遠隔操作できるとともに、測量機側へガイド光を送光して迅速に自動視準できるようにしたターゲットセットを、いっそう使い易いものに改良することを課題とする。
【課題を解決するための手段】
【００１２】
上記の課題を解決するため、請求項１に係る考案のターゲットセットでは、光を来た方向に反射する再帰反射体と、自動視準装置を備えた測量機を遠隔操作するとともに前記再帰反射体の上部に着脱自在に固定されたリモコン本体と、前記再帰反射体の位置を前記測量機に知らせるガイド光を出射するとともに前記リモコン本体に固定されたガイド光送光器と、前記リモコン本体の上部に着脱自在に固定された取手と、前記測量機に測定を指示開始するとともに前記取手に設けられたトリガースイッチと、前記再帰反射体の下部に着脱自在に固定されたピンポールとを備えたことを特徴とする。
【００１３】
請求項２に係る考案では、請求項１に係る考案において、前記取手には円形気泡管が設けられたことを特徴とする。
【００１４】
請求項３に係る考案では、請求項１又は２に係る考案において、前記リモコン本体には外部機器と接続するためのコネクタが取り付けられたことを特徴とする。
【考案の効果】
【００１５】
請求項１に係る考案によれば、このターゲットセットは、取手が付いているため、持ち運びが容易ある。そして、取手には測定を指示するトリガースイッチが設けられるから、測定時には、片手で取手を握ったまま、ピンポール先端を測点上に置いて、ピンポールを鉛直に立てて、その片手の指でトリガースイッチを押すことができ、測定作業が容易である。また、場合によっては、このターゲットセットは、ピンポールを外して、通常のポール上又は三脚上に設置して使用することも可能であるから便利である。
【００１６】
請求項２に係る考案によれば、さらに、取手には水平を検出する円形気泡管が設けられるから、円形気泡管が見易く、ピンポールを鉛直に立てる作業がいっそう容易になる。
【００１７】
請求項３に係る考案によれば、さらに、リモコン本体には外部機器と接続するためのコネクタが取り付けられたから、このコネクタに電子野帳等を接続すると、測量機から送られてきた測定結果等を確認しながら電子野帳等に記憶できて、安心して効率的に測定作業を進めることができる。
【考案を実施するための最良の形態】
【００１８】
以下、添付図面に基づいて、本考案に係るターゲットセットの実施の形態を詳細に説明する。図１は、本考案の一実施例に係るターゲットセットの斜視図である。図２は、このターゲットセットの正面図である。図３は、このターゲットセットの側面図である。
【００１９】
図１〜図３に示されたように、このターゲットセット１０は、光を来た方向に反射する再帰反射体である反射プリズム１２と、図示しない測量機に向けて反射プリズム１２の位置を知らせるガイド光を出射するガイド光送光器１４と、ガイド光送光器１４を固定したリモコン本体１６を有する。反射プリズム１２は、複数個のプリズム本体１２Ａを水平面内に放射状に並べて配置し、３６０°方向へ視準光や測距光を反射できるようにしている。
【００２０】
リモコン本体１６の内部には、ガイド光送光器１４を制御するとともに、測量機を遠隔操作するための制御装置と、この制御装置と測量機との間で指令信号や測定結果等を無線で送受信するための無線機と、電源電池が収容される。リモコン本体１６の適宜位置には、図示しないスイッチ類と、無線機のアンテナ１８と、電子野帳等の外部機器と接続するためのコネクタ１９と、このコネクタ１９のキャップ１９Ａとが取り付けられる。リモコン本体１６の上部には、着脱自在な取手２０が固定される。
【００２１】
取手２０は、先端側がいくらか下方へ曲がる円弧状の握り部２２と、握り部２２から下方へ延びる取付柱部２４と、握り部２２から取付柱部２４上を超えて延長された延長部２６からなる。延長部２６の先端上面には、水平を検出するための円形気泡管２８が設けられ、握り部２２の上面で取付柱部２４の真上付近には、測量機に測定を指示するためのトリガースイッチ３０が設けられている。取付柱部２４は後述するピンポール４４の略真上にあり、これにより、トリガースイッチ３０を押す力による反射プリズム１２のブレがなくなる。また、トリガースイッチ３０は、不用意に押されることを防止するため、窪み３２内に設ける。なお、トリガースイッチ３０を押すと、測量機側がスタンバイ状態なときは動作に直接入れる。
【００２２】
取手２０の取付柱部２４の下端は、リモコン本体１６との連結部３４になっている。リモコン本体１６の上部には、取手２０側の連結部３４の下半部に形成された小径部（図示省略）が挿入される係合孔（図示省略）が設けられた連結部３６が固定される。両連結部３４、３６は、一方の連結部３４の小径部に設けられて、ばね付勢された係合突起（図示省略）が、他方の連結部３６の係合孔内の凹部（図示省略）に係合するようにして、迅速確実に連結できるようにする。もちろん、両連結部３４、３６は、ねじやバヨネット結合等、適宜手段で着脱自在に連結するように変更してもよい。両連結部３４、３６間には、トリガースイッチ３０とリモコン本体１６内の制御装置を接続するための接点（図示省略）も設けられている。
【００２３】
リモコン本体１６の下部には、反射プリズム１２との連結部３８が固定される。反射プリズム１２の上部には、リモコン本体１６との連結部４０が固定される。両連結部３８、４０は、一方の連結部３８の下半部に形成されたおねじ４２を他方の連結部４０に設けられためねじ（図示省略）に螺合させるものである。もちろん、各連結部３８、４０は、バヨネット結合や前記連結部３２、３４と同様な連結手段等、適宜手段で着脱自在に連結するように変更してもよい。
【００２４】
反射プリズム１２の下部には、ピンポール４４が着脱自在に固定される。反射プリズム１２とピンポール４４との連結は、ピンポール４４の上部に形成されたおねじ４６を、反射プリズム１２の下部に固定された連結部４７に設けられためねじ（図示省略）に螺合させることによる。もちろん、連結部４７とピンポール４４との連結は、バヨネット結合や前記連結部３４、３６と同様な連結手段等、適宜手段で着脱自在に連結するように変更してもよい。
【００２５】
本実施例のターゲットセット１０を使用するときは、反射プリズム１２、リモコン本体１６、取手２０及びピンポール４４を連結する。取手２０を持って測点まで運び、取手２０を握ったまま、ピンポール４４先端を測点上に置いて、円形気泡管２８を見ながら、ピンポール４４を鉛直に立てて、トリガースイッチ３０を押すことにより測定を指示開始できる。
【００２６】
場合によっては、反射プリズム１２からピンポール４４を外して、代わりに、通常のポール上又は三脚上に反射プリズム１２を固定して使うことも可能である。
【００２７】
本実施例によれば、このターゲットセット１０は、取手２０が付いているため、持ち運びが容易ある。そして、取手２０には測定開始を指示するトリガースイッチ３０と水平を検出する円形気泡管２８が設けられるから、測定時には、円形気泡管２８が見易く、ピンポール４４を鉛直に立てること容易で、取手２０を握った片手の指でトリガースイッチ３０を押すことができるので、測定作業が極めて容易である。また、リモコン本体１６には外部機器と接続するためのコネクタ１９が取り付けられたから、このコネクタ１９に電子野帳等を接続すると、測量機から送られてきた測定結果等を確認しながら電子野帳等に記憶できて、安心して効率的に測定作業を進めることができる。さらに、このターゲットセット１０は、ピンポール４４を外して、通常のポール上又は三脚上に固定して使用することも可能であるから便利である。
【００２８】
ところで、本考案は、前記実施例に限るものではなく、種々の変形が可能である。たとえば、取手２０の形状は、握り部２２と取付軸部２４があれば、適宜形状に変形してもよい。円形気泡管２８の位置は、上方から確実に見える位置であれば、適宜位置へ移動させてもよい。トリガースイッチ３０も、握り部２４を握った側の手の指が届く範囲で適宜位置へ移動させてもよい。
【図面の簡単な説明】
【００２９】
【図１】本考案の一実施例に係るターゲットセットの斜視図である。
【図２】前記ターゲットセットの正面図である。
【図３】前記ターゲットセットの側面図である。
【図４】反射プリズム側から測量機側へガイド光を送光して迅速に自動視準できるようにした従来の測量システムを説明する図である。
【符号の説明】
【００３０】
１０    ターゲットセット
１２    反射プリズム（再帰反射体）
１４    ガイド光送光器
１６    リモコン本体
１９    コネクタ
２０    取手
２８    円形気泡管
３０    トリガースイッチ
４４    ピンポール
６４    ガイド光
【図１】
0003128591.tif 000003
【図２】
0003128591.tif 000004
【図３】
0003128591.tif 000005
【図４】
0003128591.tif 000006